(57)【要約】【課題】自律神経の診断の精度を向上させること。【解決手段】１つの態様において、携帯電子機器１０は、利用者から検出された波形にタイムスタンプを付加して波形情報として記録する波形情報取得部１７ａと、利用者の状況を示す情報にタイムスタンプを付加して状況情報として記録する状況情報取得部１７ｂと、状況と歪み波形とが対応付けて格納されている歪み波形データ１６ｃから、波形情報と同じ期間における状況情報が示す状況に対応する歪み波形を取得する歪み波形取得部１７ｃと、歪み波形を用いて波形情報を補正する波形補正部１７ｄと、波形補正部１７ｄによって補正された波形情報を用いて利用者の自律神経を診断する自律神経診断部１７ｅとを備える。【選択図】図１
2014140470.tif 000002
【特許請求の範囲】
【請求項１】
利用者から検出された波形にタイムスタンプを付加して波形情報として記録する波形情報取得部と、
前記利用者の状況を示す情報にタイムスタンプを付加して状況情報として記録する状況情報取得部と、
状況と歪み波形とが対応付けて格納されている歪み波形データから、前記波形情報と同じ期間における前記状況情報が示す状況に対応する歪み波形を取得する歪み波形取得部と、
前記歪み波形を用いて前記波形情報を補正する波形補正部と、
前記波形補正部によって補正された前記波形情報を用いて前記利用者の自律神経を診断する自律神経診断部と
を備える携帯電子機器。
【請求項２】
前記波形補正部は、前記歪み波形の特異点と前記波形情報が示す波形の特異点とに基づいて、前記歪み波形の波長のスケールを前記波形情報が示す波形の波長のスケールに合わせる請求項１に記載の携帯電子機器。
【請求項３】
加速度センサをさらに備え、
前記状況情報取得部は、前記加速度センサの検出する加速度の方向及び大きさ、又は前記加速度センサの検出する加速度の方向及び大きさに基づいて推定される前記利用者の移動状況を前記状況情報として記録する請求項１又は２に記載の携帯電子機器。
【請求項４】
プログラムを実行する演算処理装置をさらに備え、
前記状況情報取得部は、実行されている前記プログラムを監視することによって、前記利用者の状況を示す情報を取得する請求項１から３のいずれか１項に記載の携帯電子機器。
【請求項５】
利用者から検出された波形にタイムスタンプを付加して波形情報として記録するステップと、
前記利用者の状況を示す情報にタイムスタンプを付加して状況情報として記録するステップと、
状況と歪み波形とが対応付けて格納されている歪み波形データから、前記波形情報と同じ期間における前記状況情報が示す状況に対応する歪み波形を取得するステップと、
前記歪み波形を用いて前記波形情報を補正するステップと、
補正された前記波形情報を用いて前記利用者の自律神経を診断するステップと
を含む診断方法。
【請求項６】
携帯電子機器に、
利用者から検出された波形にタイムスタンプを付加して波形情報として記録するステップと、
前記利用者の状況を示す情報にタイムスタンプを付加して状況情報として記録するステップと、
状況と歪み波形とが対応付けて格納されている歪み波形データから、前記波形情報と同じ期間における前記状況情報が示す状況に対応する歪み波形を取得するステップと、
前記歪み波形を用いて前記波形情報を補正するステップと、
補正された前記波形情報を用いて前記利用者の自律神経を診断するステップと
を実行させる診断プログラム。
【発明の詳細な説明】
【技術分野】
【０００１】
本出願は、携帯電子機器、診断方法、および診断プログラムに関する。
【背景技術】
【０００２】
身体の状態を検出又は診断するための各種技術が知られている。例えば、特許文献１は、カメラのレンズに指を置いて撮影された入力画像に基づいて脈波を算出する技術を開示している。特許文献２は、被験者の脈波データから不整脈等によるノイズを除去して、自律神経等の診断に用いる技術を開示している。
【先行技術文献】
【特許文献】
【０００３】
【特許文献１】特開２００９−２９７２３３号公報
【特許文献２】特開２００８−２５３５７９号公報
【発明の概要】
【発明が解決しようとする課題】
【０００４】
自律神経を診断する場合、自律神経は様々な要因の影響を受けやすいために、正確な診断が難しい。特に、携帯電子機器を用いて移動中の利用者の自律神経を診断しようとすると、状況の変化が大きいために正確な診断が難しい。このような理由から、自律神経の診断の精度を向上させることができる携帯電子機器、診断方法、および診断プログラムに関するニーズがある。
【課題を解決するための手段】
【０００５】
１つの態様に係る携帯電子機器は、利用者から検出された波形にタイムスタンプを付加して波形情報として記録する波形情報取得部と、前記利用者の状況を示す情報にタイムスタンプを付加して状況情報として記録する状況情報取得部と、状況と歪み波形とが対応付けて格納されている歪み波形データから、前記波形情報と同じ期間における前記状況情報が示す状況に対応する歪み波形を取得する歪み波形取得部と、前記歪み波形を用いて前記波形情報を補正する波形補正部と、前記波形補正部によって補正された前記波形情報を用いて前記利用者の自律神経を診断する自律神経診断部とを備える。
【０００６】
１つの態様に係る診断方法は、利用者から検出された波形にタイムスタンプを付加して波形情報として記録するステップと、前記利用者の状況を示す情報にタイムスタンプを付加して状況情報として記録するステップと、状況と歪み波形とが対応付けて格納されている歪み波形データから、前記波形情報と同じ期間における前記状況情報が示す状況に対応する歪み波形を取得するステップと、前記歪み波形を用いて前記波形情報を補正するステップと、補正された前記波形情報を用いて前記利用者の自律神経を診断するステップとを含む。
【０００７】
１つの態様に係る診断プログラムは、携帯電子機器に、利用者から検出された波形にタイムスタンプを付加して波形情報として記録するステップと、前記利用者の状況を示す情報にタイムスタンプを付加して状況情報として記録するステップと、状況と歪み波形とが対応付けて格納されている歪み波形データから、前記波形情報と同じ期間における前記状況情報が示す状況に対応する歪み波形を取得するステップと、前記歪み波形を用いて前記波形情報を補正するステップと、補正された前記波形情報を用いて前記利用者の自律神経を診断するステップとを実行させる。
【図面の簡単な説明】
【０００８】
【図１】図１は、携帯電子機器のブロック図である。
【図２】図２は、自律神経の診断処理の処理手順の例を示すフローチャートである。
【図３】図３は、携帯電子機器によって処理される波形の例を示す図である。
【図４】図４は、診断システムの構成の例を示す図である。
【図５】図５は、診断システムの構成の他の例を示す図である。
【図６】図６は、診断処理をソフトウェアを用いて実現する場合の構成の例を示す図である。
【発明を実施するための形態】
【０００９】
本発明を実施するための実施形態を、図面を参照しつつ詳細に説明する。
【００１０】
図１を参照しながら、実施形態に係る携帯電子機器１０の構成について説明する。図１は、携帯電子機器１０のブロック図である。携帯電子機器１０は、例えば、携帯電話機である。携帯電子機器１０は、利用者の自律神経を診断する機能を有する。図１に示すように、携帯電子機器１０は、表示部１１と、操作部１２と、通信部１３と、波形検出部１４と、状況検出部１５と、記憶部１６と、制御部１７とを含む。
【００１１】
表示部１１は、液晶ディスプレイ（ＬＣＤ：Liquid Crystal Display）、有機ＥＬパネルディスプレイ（ＯＥＬＤ：Organic Electro-Luminescence Display）、又は無機ＥＬパネルディスプレイ（ＩＥＬＤ：Inorganic Electro-Luminescence Display）等の表示デバイスを備える。表示部１１は、文字、画像、記号、及び図形等を含む画面を表示する。
【００１２】
操作部１２は、利用者の操作を受け付ける。操作部１２は、操作を受け付けるために、ボタン、キー、タッチスクリーン等の入力デバイスを備える。操作部１２は、タッチスクリーンディスプレイのように、表示部１１と一体に形成されていてもよい。
【００１３】
通信部１３は、無線により通信する。通信部１３は、例えば、２Ｇ、３Ｇ、４Ｇ等のセルラーフォンの通信をサポートする。通信部１３は、複数の通信方式をサポートしてもよい。通信部１３は、ＩＥＥＥ８０２．１１、Ｂｌｕｅｔｏｏｔｈ（登録商標）等の近距離での通信方式をサポートしてもよい。
【００１４】
波形検出部１４は、携帯電子機器１０を携帯している利用者の自律神経を診断するための波形を検出する。利用者の自律神経を診断するための波形は、例えば、脈波の波形、心拍数の変動を示す波形等を含む。
【００１５】
波形検出部１４は、各種のセンサを含むことができる。利用者の自律神経を診断するための波形として脈波の波形が用いられる場合、波形検出部１４は、例えば、カメラ（イメージセンサ）を含むことができる。利用者の自律神経を診断するための波形として心拍数の変動を示す波形が用いられる場合、波形検出部１４は、例えば、小型の心拍センサ又は光電脈波計を含むことができる。
【００１６】
波形検出部１４は、これら以外のセンサを含んでもよい。波形検出部１４は、波形を検出する複数のセンサを含み、状況に応じて最適な波形を選択することができるように構成されてもよい。波形検出部１４が含むセンサは、利用者の自律神経の診断以外の用途に用いられてよい。換言すると、携帯電子機器１０が他の用途のために備えているセンサを、波形検出部１４としても利用する構成であってもよい。以下の説明では、利用者の自律神経を診断するための波形として脈波の波形が用いられるものと想定する。
【００１７】
状況検出部１５は、携帯電子機器１０を携帯している利用者の状況を検出する。状況検出部１５は、各種のセンサを含むことができる。
【００１８】
状況検出部１５は、加速度センサを含むことができる。加速度センサにより、利用者に加わっている加速度の方向及び大きさを検出することができる。さらに、加速度の方向及び大きさを分析することにより、利用者の移動状況、利用者が感じている振動の大きさ等を推定することができる。推定可能な移動状況には、静止している状態、歩いている状態、走っている状態、乗り物に乗っている状態等が含まれる。
【００１９】
状況検出部１５は、気圧計を含むことができる。気圧計により、利用者の周囲の気圧の変化を検出することができる。気圧の変化は、利用者の現在地の高度を推定するために用いることができる。加速度センサと気圧計を組み合わせることにより、利用者が坂を上っている状態、利用者が坂を下りている状態等を推定することが可能になり、移動状況の推定の精度が向上する。
【００２０】
状況検出部１５は、ＧＰＳ（Global Positioning System）レシーバを含むことができる。ＧＰＳレシーバにより、利用者の現在位置を検出することができる。現在位置を地図データと照合することにより、利用者がどのような環境にいるかを高い精度で推定することができる。加速度センサとＧＰＳレシーバを組み合わせることにより、利用者の移動経路が、道路に沿っているのか、鉄道路線に沿っているのか等を判定して、乗り物の種類を特定することが可能になり、移動状況の推定の精度が向上する。
【００２１】
状況検出部１５は、照度センサを含むことができる。照度センサにより、利用者の周囲の明るさを検出することができる。状況検出部１５は、温度センサを含むことができる。温度センサにより、利用者の周囲の温度を検出することができる。状況検出部１５は、静電容量式タッチセンサを含むことができる。静電容量式タッチセンサにより、利用者の身体の静電容量の大きさを検出することができる。静電容量の大きさは、利用者の緊張度を推定するために用いることができる。
【００２２】
状況検出部１５は、これら以外のセンサを含んでもよい。状況検出部１５は、複数のセンサを含んでもよい。状況検出部１５が含むセンサは、利用者の自律神経の診断以外の用途に用いられてもよい。換言すると、携帯電子機器１０が他の用途のために備えているセンサを、状況検出部１５としても利用する構成であってもよい。
【００２３】
記憶部１６は、プログラム及びデータを記憶する。記憶部１６は、制御部１７の処理結果を一時的に記憶する作業領域としても利用される。記憶部１６は、半導体記憶媒体、及び磁気記憶媒体等の任意の非一過的（non-transitory）な記憶媒体を含んでよい。記憶部１６は、複数の種類の記憶媒体を含んでよい。記憶部１６は、メモリカード、光ディスク、又は光磁気ディスク等の可搬の非一過的な記憶媒体と、記憶媒体の読み取り装置との組み合わせを含んでよい。記憶部１６は、ＲＡＭ（Random Access Memory）等の一時的な記憶領域として利用される記憶デバイスを含んでよい。
【００２４】
記憶部１６に記憶されるデータは、測定波形データ１６ａと、状況データ１６ｂと、歪み波形データ１６ｃとを含む。測定波形データ１６ａには、波形検出部１４によって検出された波形が波形情報として記録される。状況データ１６ｂには、状況検出部１５によって検出された利用者の状況を示す情報が状況情報として記録される。測定波形データ１６ａに記録される波形情報及び状況データ１６ｂに記録される状況情報には、両者の情報を同期させて処理することが可能なように、検出された時間を示すタイムスタンプが付加される。
【００２５】
歪み波形データ１６ｃは、利用者の状況を示す状況情報と対応付けて、その状況に起因する歪み（artifact）の波形（以下、「歪み波形」ともいう）を記憶する。歪み波形は、本来検出されるべき波形と、状況の影響を受けて変動した波形との差分である。換言すると、歪み波形は、自律神経の診断の精度を向上させることを阻害するノイズ成分（歪み成分）である。
【００２６】
状況情報と歪み波形との組み合わせは、歪み波形データ１６ｃに予め格納される。状況情報と歪み波形との組み合わせは、例えば、様々な状況下で被験者から検出した波形を比較することによって得ることができる。
【００２７】
歪み波形データ１６ｃは、歪み波形が、同じ期間に同じ状況下で検出された複数種類の状況情報と対応付けられるように構成されてもよい。
【００２８】
制御部１７は、携帯電子機器１０を統括的に制御する。制御部１７は、携帯電子機器１０がその機能を発揮するための各種制御を行う。制御部１７は、演算処理装置を有する。演算処理装置は、例えば、ＣＰＵ（Central Processing Unit）、ＳｏＣ（System-on-a-chip）、ＭＣＵ（Micro Control Unit）、又はＦＰＧＡ（Field-Programmable Gate Array）である。
【００２９】
制御部１７は、波形情報取得部１７ａと、状況情報取得部１７ｂと、歪み波形取得部１７ｃと、波形補正部１７ｄと、自律神経診断部１７ｅと、通知部１７ｆとを有する。波形情報取得部１７ａは、波形検出部１４によって検出される波形を取得し、タイムスタンプを付加して測定波形データ１６ａに波形情報として記録する。
【００３０】
状況情報取得部１７ｂは、状況検出部１５から利用者の状況を示す情報を取得し、タイムスタンプを付加して状況データ１６ｂに状況情報として記録する。状況情報取得部１７ｂは、状況検出部１５から取得した情報をそのまま状況情報として記録してもよいし、状況検出部１５から取得した情報の分析により得た情報を状況情報として記録してもよい。状況検出部１５が加速度センサを含む場合を例にして説明する。情報をそのまま記録する場合、加速度の方向及び大きさが状況情報として記録される。一方、情報の分析により得た情報を記録する場合、加速度の方向及び大きさに基づいて推定される利用者の移動状況が状況情報として記録される。
【００３１】
歪み波形取得部１７ｃは、指定された状況情報に対応する歪み波形を歪み波形データ１６ｃから取得する。歪み波形取得部１７ｃは、指定された状況情報に対応する歪み波形を取得するために、歪み波形データ１６ｃに格納されている状況情報の中から、指定された状況情報に最も近似する状況情報を特定する。そして、歪み波形取得部１７ｃは、特定した状況情報に対応付けられた歪み波形を歪み波形データ１６ｃから取得する。最も近似する状況情報の特定は、例えば、移動平均法等の統計的な手法を用いて実現される。
【００３２】
歪み波形が複数種類の状況情報と対応付けられている場合、歪み波形取得部１７ｃは、状況情報の種類ごとに優先度を定め、指定された状況情報に最も近似する状況情報を、優先度を用いて特定してもよい。例えば、優先度の高い種類の状況情報から順に近似度を評価して、状況情報と歪み波形の組み合わせを絞り込んでいく方式を用いてもよい。あるいは、状況情報毎に評価した近似度と、状況情報の優先度毎に定められた重みとを乗じた値を合計することによって、状況情報と歪み波形の組み合わせの総合的な近似値を算出する方式を用いてもよい。
【００３３】
波形補正部１７ｄは、測定波形データ１６ａに含まれる波形情報が示す波形を、歪み波形取得部１７ｃによって取得された歪み波形を用いて補正する。歪み波形を用いた補正により、測定波形データ１６ａに含まれる波形情報から、利用者の状況に起因するノイズ成分を除去することができる。これにより、波形情報に基づく自律神経の診断の精度を向上させることができる。
【００３４】
波形補正部１７ｄは、波形分離によって波形を補正する。具体的には、波形補正部１７ｄは、測定波形データ１６ａに含まれる波形情報が示す波形から歪み波形を減算することによって波形情報を補正する。
【００３５】
歪み波形を用いた補正に先立って、波形補正部１７ｄは、歪み波形の振幅と波長のスケールを、測定波形データ１６ａに含まれる波形情報が示す波形のスケールに合うように調整する。波形検出部１４に含まれるセンサの種類と歪み波形を得るために用いられたセンサの種類とは必ずしも同一ではなく、歪み波形を得るための被験者と携帯電子機器１０の利用者とは必ずしも同一人物ではない。このため、歪み波形の振幅と波長のスケールと、測定波形データ１６ａに含まれる波形情報が示す波形のスケールとが一致していないことがある。
【００３６】
波形補正部１７ｄは、歪み波形の振幅のスケールを調整するために、例えば、予め定められた係数を用いる。係数は、センサの感度の相違、センサの出力レベルの相違等に基づいて決定される。
【００３７】
波形補正部１７ｄは、歪み波形の波長のスケールを調整するために、歪み波形の特異点と、測定波形データ１６ａに含まれる波形の特異点とを算出する。特異点は、例えば、フーリエ変換、高速フーリエ変換、ウェーブレット変換等を用いて算出することができる。波形補正部１７ｄは、歪み波形の特異点と測定波形データ１６ａに含まれる波形の特異点とが最もマッチするように、歪み波形の波長のスケールを調整する。
【００３８】
自律神経診断部１７ｅは、波形補正部１７ｄによって補正された波形情報に基づいて、利用者の自律神経を診断する。波形情報に基づいて自律神経を診断するための手法については、公知の各種の手法を用いることができる。
【００３９】
通知部１７ｆは、自律神経診断部１７ｅによる診断の結果を利用者に通知する。通知部１７ｆは、例えば、表示部１１への表示によって、診断の結果を利用者に通知する。診断の結果を利用者に通知する方式は、いかなる方式であってもよい。通知部１７ｆは自律神経の診断結果をアプリケーション用途毎に加工する機能を有していてもよい。例えば、通知部１７ｆは、ユーザーが通信部１３を通して商用サーバ等からダウンロードするアプリケーション用プラグイン等を組み込むことができる。このプラグインによって、通知部１７ｆは、表示する診断結果の様式等を変化させることができる。
【００４０】
図２及び図３を参照しながら、携帯電子機器１０による自律神経の診断処理について説明する。図２は、自律神経の診断処理の処理手順の例を示すフローチャートである。図３は、携帯電子機器１０によって処理される波形の例を示す図である。
【００４１】
図２に示すように、制御部１７は、ステップＳ１０１として、波形検出部１４及び状況検出部１５を起動する。
【００４２】
続いて、波形情報取得部１７ａは、ステップＳ１０２として、波形検出部１４によって検出される波形を取得する。波形情報取得部１７ａは、ステップＳ１０３として、取得した波形にタイムスタンプを付加して、波形情報として測定波形データ１６ａに記録する。
【００４３】
ステップＳ１０２及びステップＳ１０３と並行して、状況情報取得部１７ｂは、ステップＳ１０４及びステップＳ１０５を実行する。状況情報取得部１７ｂは、ステップＳ１０４として、状況検出部１５から利用者の状況を示す情報を取得する。状況情報取得部１７ｂは、ステップＳ１０５として、取得した情報にタイムスタンプを付加して、状況情報として状況データ１６ｂに記録する。
【００４４】
波形補正部１７ｄは、ステップＳ１０６として、測定波形データ１６ａに記録されている波形情報と、状況データ１６ｂに記録されている状況情報とを、同じ期間の情報が取得されるように時間的なずれを調整して取得する。時間的なずれの大きさは、測定対象の現象が生じてから、センサがその現象に応じた信号を出力するまでの遅延時間に基づいて設定される。
【００４５】
ステップＳ１０６では、例えば、図３に示す波形Ｗ１を示す波形情報が取得される。ステップＳ１０６で取得される状況情報は、このような波形が検出された期間における利用者の状況を示す。波形Ｗ１は、状況情報が示す状況に起因するノイズ成分を含んでいる。
【００４６】
続いて、波形補正部１７ｄは、ステップＳ１０７として、取得した状況情報に基づいて利用者の状況を判定する処理を、必要に応じて実行する。例えば、波形補正部１７ｄは、取得した状況情報に含まれる加速度の大きさの変化のパターンに基づいて、利用者の移動状況を推定する。この処理は、歪み波形データ１６ｃから歪み波形を取得する際に状況情報をそのまま指定できる場合には不要である。
【００４７】
続いて、波形補正部１７ｄは、ステップＳ１０８として、歪み波形取得部１７ｃに、状況情報（又は状況情報に基づいて判定された利用者の状況）に対応する歪み波形を歪み波形データ１６ｃから取得させる。
【００４８】
ステップＳ１０８では、例えば、図３に示す波形Ｗ２が歪み波形として取得される。波形Ｗ２は、振幅及び波長のスケールが波形Ｗ１と異なるため、このままでは、波形Ｗ１からノイズ成分を除去するために用いることはできない。
【００４９】
波形補正部１７ｄは、ステップＳ１０９として、取得された歪み波形の振幅及び波長のスケールを調整する。ステップＳ１０９では、例えば、図３に示す波形Ｗ２の振幅及び波長のスケールを調整することによって、波形Ｗ３が得られる。波形Ｗ２の振幅を調整するために、波形Ｗ１の特異点と波形Ｗ２の特異点とがマッチングされる。このような調整により、ノイズ成分を除去するために波形Ｗ２を用いることが可能になる。
【００５０】
続いて、波形補正部１７ｄが、ステップＳ１１０として、調整された歪み波形を用いて、波形情報からノイズ成分を除去する。波形補正部１７ｄは、例えば、図３に示す波形Ｗ１から、図３に示す波形Ｗ３を除算することにより、状況に起因するノイズ成分が除去された波形Ｗ４を得る。
【００５１】
続いて、自律神経診断部１７ｅが、ステップＳ１１１として、ノイズ成分が除去された波形情報に基づいて利用者の自律神経を診断し、通知部１７ｆが、ステップＳ１１２として、診断結果を利用者に通知する。
【００５２】
その後、制御部１７は、ステップＳ１１３として、診断処理を終了するか判定する。診断処理を終了しない場合（ステップＳ１１３，Ｎｏ）、制御部１７は、ステップＳ１０２及びステップＳ１０４以降を再実行させる。診断処理を終了する場合（ステップＳ１１３，Ｙｅｓ）、制御部１７は、ステップＳ１１４として、波形検出部１４及び状況検出部１５を停止する。
【００５３】
図２に示す診断処理は、リアルタイムで実行されてもよいし、バッチ的に実行されてもよい。リアルタイムで実行される場合、ステップＳ１０２〜ステップＳ１１３が、例えば、１秒周期で実行される。バッチ的に実行される場合、ステップＳ１０２〜ステップＳ１０３及びステップＳ１０４〜ステップＳ１０５が継続的に実行され、所定のタイミングでステップＳ１０６〜ステップＳ１１３が実行される。
【００５４】
上述したように、携帯電子機器１０は、自律神経を診断するために利用者から検出された波形から、検出時における利用者の状況に起因するノイズ成分を除去する。このため、携帯電子機器１０は、自律神経の診断の精度を向上させることができる。
【００５５】
本出願の開示する実施形態は、発明の要旨および範囲を逸脱しない範囲で変更することができる。さらに、本出願の開示する実施形態およびその変形例は、適宜組み合わせることができる。例えば、上記の実施形態は、以下のように変形してもよい。
【００５６】
例えば、携帯電子機器１０は、拡張可能に構成されてもよい。具体的には、携帯電子機器１０は、任意のセンサを追加可能で、追加されたセンサが検出する情報を波形情報又は状況情報として波形情報取得部１７ａ又は状況情報取得部１７ｂが取得するように構成されてもよい。
【００５７】
携帯電子機器１０は、診断処理において用いられる各種のフィルタリング係数、閾値等を利用者が変更可能に構成されてもよい。
【００５８】
上記の実施形態において説明した装置の構成は、適宜、分散または集約してもよい。携帯電子機器１０の一部をサーバに配して、サーバと携帯電子機器１０とを含むシステムを構成してもよい。
【００５９】
図４は、診断システムの構成の例を示す図である。図４に示す診断システムは、携帯電子機器２０と、サーバ９０とを含む。サーバ９０は、歪み波形データ１６ｃを記憶する。携帯電子機器２０は、通信部１３による通信を通じて、サーバ９０に記憶されている歪み波形データ１６ｃにアクセスすることを除いて、携帯電子機器１０と同様の構成を有する。このような構成によっても、携帯電子機器１０と同様の効果を得ることができる。
【００６０】
さらに、図４に示す構成では、携帯電子機器２０は、歪み波形データ１６ｃを記憶する必要がないので、記憶部１６の記憶領域を他の用途に活用することができる。さらに、図４に示す構成では、歪み波形データ１６ｃがサーバ９０において中央管理されるので、歪み波形の追加、修正等を容易に行うことができる。
【００６１】
図５は、診断システムの構成の他の例を示す図である。図５に示す診断システムは、携帯電子機器３０と、サーバ９０とを含む。サーバ９０は、歪み波形データ１６ｃを記憶するとともに、歪み波形取得部１７ｃ、波形補正部１７ｄ、及び自律神経診断部１７ｅの機能を有する。携帯電子機器３０は、歪み波形データ１６ｃを記憶しておらず、歪み波形取得部１７ｃ、波形補正部１７ｄ、及び自律神経診断部１７ｅを備えていないことを除いて、携帯電子機器１０と同様の構成を有する。
【００６２】
図５に示す構成では、携帯電子機器３０は、通信部１３による通信を通じて、測定波形データ１６ａ及び状況データ１６ｂをサーバ９０へ送信する。サーバ９０は、送信された測定波形データ１６ａ及び状況データ１６ｂを用いて診断処理を実行し、結果を携帯電子機器３０へ応答する。携帯電子機器３０は、応答された回答を、利用者に通知する。このような構成によっても、携帯電子機器１０と同様の効果を得ることができる。
【００６３】
さらに、図５に示す構成では、診断処理の主要部分がサーバ９０によって実行されるため、携帯電子機器１０の負荷を軽減することができる。さらに、診断処理の主要部分を実行する部位がサーバ９０に存在するため、診断処理の改修や機能追加等を容易に実現することができる。
【００６４】
診断処理は、ソフトウェアを用いて実現されてもよい。図６は、診断処理をソフトウェアを用いて実現する場合の構成の例を示す図である。図６に示す携帯電子機器４０は、記憶部１６が診断プログラム１６ｄを記憶することを除いて、携帯電子機器１０と同様の構成を有する。
【００６５】
携帯電子機器４０では、波形情報取得部１７ａ、状況情報取得部１７ｂ、歪み波形取得部１７ｃ、波形補正部１７ｄ、自律神経診断部１７ｅ、及び通知部１７ｆの機能は、制御部１７が、演算処理装置を用いて診断プログラム１６ｄ実行することによって実現される。このような構成によっても、携帯電子機器１０と同様の効果を得ることができる。診断プログラム１６ｄは、他の装置からダウンロードされてもよい。診断プログラム１６ｄは、可搬の非一過的な記憶媒体に記憶されていてもよい。
【００６６】
診断処理をソフトウェアを用いて実現する場合、携帯電子機器１０は、診断プログラム１６ｄ以外のプログラムを、演算処理装置を用いて実行できるように構成されてもよい。診断プログラム１６ｄ以外のプログラムには、例えば、ＳＮＳ（Social Networking Service）プログラム、メールプログラム、スケジュール管理プログラム、ブラウザプログラム等が含まれる。
【００６７】
この場合、状況情報取得部１７ｂは、実行されているプログラムを監視することによって、利用者の状況を示す状況情報を取得してもよい。状況情報取得部１７ｂは、利用者が、ＳＮＳプログラム又はメールプログラムを用いて送信するメッセージから利用者の状況を示す情報を抽出してもよい。例えば、状況情報取得部１７ｂは、食べている食事に関する情報をメッセージから抽出し、状況情報として記録する。
【００６８】
状況情報取得部１７ｂは、利用者が、スケジュール管理プログラムを用いて登録したスケジュールから利用者の状況を示す情報を抽出してもよい。例えば、状況情報取得部１７ｂは、登録されているスケジュールに基づいて、利用者が顧客企業を訪問していることを状況情報として記録する。
【００６９】
状況情報取得部１７ｂは、利用者が、ブラウザプログラムを用いて閲覧しているＷＥＢページに基づいて、利用者の状況を示す情報を取得してもよい。例えば、状況情報取得部１７ｂは、閲覧中のＷＥＢページのアドレスをデータベースと照合することによってＷＥＢページの種類を判定し、ＷＥＢページの種類を状況情報として記録する。
【００７０】
上記の実施形態では、携帯電子機器の例として、携帯電話機について説明したが、添付の請求項に係る装置は、携帯電話機に限定されない。添付の請求項に係る装置は、例えば、スマートフォン、タブレット、携帯型パソコン、デジタルカメラ、メディアプレイヤ、電子書籍リーダ、ナビゲータ、又はゲーム機であってもよい。
【００７１】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例および代替可能な構成を具現化するように構成されるべきである。
【符号の説明】
【００７２】
１０、２０、３０、４０  携帯電子機器
１１    表示部
１２    操作部
１３    通信部
１４    波形検出部
１５    状況検出部
１６    記憶部
１６ａ  測定波形データ
１６ｂ  状況データ
１６ｃ  歪み波形データ
１６ｄ  診断プログラム
１７    制御部
１７ａ  波形情報取得部
１７ｂ  状況情報取得部
１７ｃ  歪み波形取得部
１７ｄ  波形補正部
１７ｅ  自律神経診断部
１７ｆ  通知部
９０    サーバ
【図１】
2014140470.tif 000003
【図２】
2014140470.tif 000004
【図３】
2014140470.tif 000005
【図４】
2014140470.tif 000006
【図５】
2014140470.tif 000007
【図６】
2014140470.tif 000008